(57)【特許請求の範囲】
【請求項１】
ユーザーデータを記録するためのトラックを有する、相変化媒体や光磁気媒体などの書き換え型光ディスク、または色素系媒体などの追記型光ディスクにおいて、
前記トラックには、前記光ディスクの半径方向に蛇行しているウオブル部と、蛇行していない非ウオブル部とが設けられ、
前記ウオブル部と非ウオブル部との組み合わせを用いて、前記ユーザーデータ以外のデータである副情報が前記トラックに記憶され、
前記副情報を構成する各ビットの論理値は、前記ウオブル部と非ウオブル部とを一組として表現され、
ビットが論理値”０”をとる場合のウオブル部における蛇行の位相と、ビットが論理値”１”をとる場合のウオブル部における蛇行の位相とが異なり、
前記ウオブル部および非ウオブル部の長さは、ウオブル部における蛇行の１周期の整数倍とされていて、
前記ウオブル部の長さは、ビットが論理値”０”をとる場合には、ウオブル部における蛇行の１０周期分であり、ビットが論理値”１”をとる場合には、ウオブル部における蛇行の１４周期分である
ことを特徴とする光ディスク。
【請求項２】
前記ウオブル部または非ウオブル部のいずれか一方の長さが、ビットが論理値”０”をとる場合と、ビットが論理値”１”をとる場合とで異なる
ことを特徴とする請求項１に記載の光ディスク。
【請求項３】
前記副情報は、前記トラックにおけるアドレスである
ことを特徴とする請求項１に記載の光ディスク。
【請求項４】
ビットが論理値”０”をとる場合のウオブル部における蛇行の位相と、ビットが論理値”１”をとる場合のウオブル部における蛇行の位相との位相差が１８０度近傍である
ことを特徴とする請求項１に記載の光ディスク。
【請求項５】
前記ウオブル部から非ウオブル部へ遷移する点、および非ウオブル部からウオブル部へ遷移する点における、ウオブル部の蛇行の位相が、所定の位相とされている
ことを特徴とする請求項１に記載の光ディスク。
【請求項６】
前記トラックは、光ディスクの半径方向に複数のゾーンに分割されている
ことを特徴とする請求項１ないし５のいずれかに記載の光ディスク。
【請求項７】
前記副情報は、前記ゾーンのゾーンアドレスである
ことを特徴とする請求項６に記載の光ディスク。
【請求項８】
前記ゾーン内における、隣接するトラックのウオブル部の蛇行の位相が相互に一致している
ことを特徴とする請求項６または７に記載の光ディスク。
【発明の詳細な説明】
【０００１】
【発明の属する技術分野】
本発明は、相変化媒体や光磁気（ＭＯ）媒体などを用いた書き換え型光ディスク、もしくは色素系媒体などを用いた追記型（ライトワンス型）光ディスクの物理フォーマットに関し、特に、画像データや音声データなどの大容量のデータを扱うのに適した物理フォーマットに関する。
【０００２】
【従来の技術】
コンピュータに用いる大容量の記憶媒体として、ＤＶＤ（デジタルビデオディスク）、ＭＯディスク、またはＣＤ（コンパクトディスク）などが製品化されている。また、コンピュータの普及により、ユーザーが記憶媒体に記憶されたデータを編集することが多くなり、データの変更や追記が行える記憶媒体の必要性が高まっている。
【０００３】
ユーザーがデータの変更を何度も行うことが可能な書き換え型の記憶媒体としては、相変化媒体を用いたＤＶＤ−ＲＡＭ（随時読み出し書き込み可能メモリ）、ＭＯ媒体を用いたＭＯディスク、ＣＤ−ＲＷ（ＲｅＷｒｉｔａｂｌｅ）がある。また、ユーザーが一度だけデータを書き込むことが可能な追記型（ライトワンス型）の記憶媒体としては、色素系媒体を用いたＣＤ−Ｒがある。これらの記憶媒体には、あらかじめ、これらの記憶媒体上でのデータが書き込まれた位置を認識するためのアドレスが記憶されている。
【０００４】
上記のＤＶＤ−ＲＡＭやＭＯディスク上には、ユーザーデータが記憶される部分とは別に、アドレスを示すためのＩＤ部（Ｉｄｅｎｔｉｆｉｃａｔｉｏｎ部）が設けられている。
また、上記のＣＤ−ＲＷやＣＤ−Ｒにおけるアドレス管理には、ＦＭ変調（周波数変調）によるウオブル・アドレス方式が用いられている。ここで、ウオブルとは蛇行を意味し、ディスク上のトラックが、ディスクの半径方向に蛇行している構造のことを示している。すなわち、ＣＤ−ＲＷやＣＤ−Ｒでは、アドレスを、トラックのウオブル（蛇行）の周波数を変化させることによって記憶させている。従って、ＣＤ−ＲＷやＣＤ−Ｒでは、トラックに沿って、ユーザーデータとアドレスとが重畳されて記憶される。
【０００５】
【発明が解決しようとする課題】
しかし、これらの従来技術には、次のような問題がある。すなわち、上記のＤＶＤ−ＲＡＭやＭＯディスクには、ユーザーデータが記憶される領域とは別に、ＩＤ部を設ける必要があるため、ディスク面の領域使用効率が悪くなるという問題がある。
【０００６】
また、ユーザーデータが記憶される領域と、ＩＤ部とでは、ディスク面の構造が異なるので、このようなディスクを製造するには、製造プロセスが複雑になり、ディスクの製造が難しくなるという問題がある。特に、ＤＶＤ−ＲＡＭでは、ＩＤ部が千鳥状に配置されているので、さらに製造プロセスが複雑になる。
【０００７】
また、上記のＣＤ−ＲＷやＣＤ−Ｒでは、アドレスがウオブルの周波数に対応しているので、ディスクの読み取り装置がアドレスを読み取るためには、異なる周波数の信号（ウオブル）を読み取る必要があり、読み取り装置の構成が複雑になるという問題がある。
【０００８】
また、アドレス値に応じて、トラックのウオブルの周波数を変化させるので、アドレスを表現するのに必要なトラックの長さが、アドレス値ごとに異なってしまい、データの書き込み制御が複雑になるという問題がある。
【０００９】
また、上記のアドレスをウオブルの周波数に対応させる方式は、ウオブルをＦＭ変調させることによりアドレスを記憶させる方式なので、必要とされるＣ／Ｎ（Ｃａｒｒｉｅｒ  ｔｏ  Ｎｏｉｓｅ；搬送波対雑音）比が大きく、読み書きにおける信頼性を確保することが難しいという問題がある。
【００１０】
本発明は、上記の問題を解決するためになされたもので、ディスク面の領域使用効率が良く、ディスクの製造が容易で、ディスクの読み取り装置の構成が簡単で、かつディスクへのデータの書き込み制御も簡単で、さらに必要とされるＣ／Ｎ比も小さい、読み書きにおける信頼性が高い光ディスクを提供するものである。
【００１１】
【課題を解決するための手段】
請求項１に記載の発明は、ユーザーデータを記録するためのトラックを有する、相変化媒体や光磁気媒体などの書き換え型光ディスク、または色素系媒体などの追記型光ディスクにおいて、前記トラックには、前記光ディスクの半径方向に蛇行しているウオブル部と、蛇行していない非ウオブル部とが設けられ、前記ウオブル部と非ウオブル部との組み合わせを用いて、前記ユーザーデータ以外のデータである副情報が前記トラックに記憶され、前記副情報を構成する各ビットの論理値は、前記ウオブル部と非ウオブル部とを一組として表現され、ビットが論理値”０”をとる場合のウオブル部における蛇行の位相と、ビットが論理値”１”をとる場合のウオブル部における蛇行の位相とが異なることを特徴とする光ディスクである。
【００１２】
請求項２に記載の発明は、前記ウオブル部または非ウオブル部のいずれか一方の長さが、ビットが論理値”０”をとる場合と、ビットが論理値”１”をとる場合とで異なることを特徴とする請求項１に記載の光ディスクである。
【００１３】
請求項３に記載の発明は、前記副情報は、前記トラックにおけるアドレスであることを特徴とする請求項１に記載の光ディスクである。
【００１４】
請求項４に記載の発明は、ビットが論理値”０”をとる場合のウオブル部における蛇行の位相と、ビットが論理値”１”をとる場合のウオブル部における蛇行の位相との位相差が１８０度近傍であることを特徴とする請求項１に記載の光ディスクである。
【００１５】
請求項５に記載の発明は、前記ウオブル部から非ウオブル部へ遷移する点、および非ウオブル部からウオブル部へ遷移する点における、ウオブル部の蛇行の位相が、所定の位相とされていることを特徴とする請求項１に記載の光ディスクである。
【００１６】
請求項６に記載の発明は、前記ウオブル部および非ウオブル部の長さは、ウオブル部における蛇行の１周期の整数倍とされていることを特徴とする請求項１ないし５のいずれかに記載の光ディスクである。
【００１７】
請求項７に記載の発明は、前記トラックは、光ディスクの半径方向に複数のゾーンに分割されていることを特徴とする請求項１ないし６のいずれかに記載の光ディスクである。
【００１８】
請求項８に記載の発明は、前記副情報は、前記ゾーンのゾーンアドレスであることを特徴とする請求項７に記載の光ディスクである。
【００１９】
請求項９に記載の発明は、前記ゾーン内における、隣接するトラックのウオブル部の蛇行の位相が相互に一致していることを特徴とする請求項７または８に記載の光ディスクである。
【００２０】
【発明の実施の形態】
図１は、本発明の第１実施形態である光ディスクＰ１の構成を示す図である。この光ディスクＰ１の表面には、トラックが設けられ、このトラックに沿って、あらかじめ副情報が記録されている。この副情報が記録されたトラック上に、ユーザーデータが重畳して記録される。
【００２１】
ここで、副情報とは、ユーザーデータ以外の情報であり、この代表的な例がアドレスである。また、これ以外にも、ディスクに関わる各種パラメータ情報なども副情報に含まれる。
【００２２】
図に示した光ディスクＰ１は、例えば、相変化媒体を用いたＤＶＤ−ＲＡＭ、ＣＤ−ＲＷ、ＭＯ媒体を用いたＭＯディスクなどの書き換え型光ディスク、あるいは色素系媒体を用いたＣＤ−Ｒなどのライトワンス型光ディスクである。
【００２３】
光ディスクＰ１の表面には、図に示すように、ウオブル・トラックＷＴ１が設けられていて、このウオブル・トラックＷＴ１に沿ってユーザーデータが記録される。ここで、ウオブルとは蛇行を意味し、トラックが、この光ディスクＰ１の半径方向に蛇行して形成されている構造のことを示している。ただし、このウオブル・トラックＷＴ１は、図に示すように、ウオブルされているウオブル部ＡＷＴと、ウオブルされていない非ウオブル部ＮＷＴとを有する。これらのウオブル部ＡＷＴと、非ウオブル部ＮＷＴとの組み合わせによって、トラックに、前記副情報が記録されている。
【００２４】
図２は、光ディスクＰ１上のウオブル・トラックＷＴ１の詳細な構成を示すための拡大図である。光ディスクＰ１の表面には、蛇行するトラック溝Ｔが設けられていて、このトラック溝Ｔの底をグルーブＧと呼び、隣り合うトラック溝Ｔに挟まれた部分をランドＬと呼ぶ。そして、トラック溝Ｔのうねり（蛇行）をウオブルと呼ぶ。
【００２５】
この光ディスクＰ１に、ランド＆グルーブ記録方式を用いてユーザーデータを記録する場合には、ランドＬとグルーブＧの両方に記録マークＰが形成される。なお、記録されたデータを読み取るには、光ディスクＰ１の底面から光Ｈが入射される。
【００２６】
トラック溝Ｔのウオブル（蛇行）は、光ディスクＰ１に記録されるユーザーデータの副情報を表すために用いられる。この副情報とは、例えば、トラック溝Ｔに沿って記録されたユーザーデータの位置、すなわちアドレスを示す情報である。従って、光ディスクＰ１においては、ユーザーデータと副情報とが、トラック溝Ｔに沿って、重畳して記録される。
【００２７】
図３は、前記副情報をトラック溝Ｔのウオブルに記録させる、すなわち副情報データに基づいて、光ディスクＰ１上にウオブル・トラックＷＴ１を形成する手順を示す図である。まず、副情報データ１が、変換テーブル２によって変換副情報データ３に変換される。さらに、この変換副情報データ３は、ＭＡＭ変調され、ＭＡＭ変調された波形データに基づいて、トラック溝Ｔにウオブルが形成される。ここで、ＭＡＭ変調とは、本発明の光ディスクに適用できるように改良された、改良型ＡＭ変調を意味する。
【００２８】
図４に、前記変換テーブル２の一例を示す。前述したように、変換テーブル２は、副情報データ１を入力し、変換副情報データ３を出力する。副情報データ１および変換副情報データ３は、どちらも、”０”および”１”から成るデジタルデータである。
【００２９】
図４に示す変換テーブルによれば、２ビットの任意の副情報データが、４ビットの変換副情報データに変換される。変換された変換副情報データは、いかなる場合も”０”と”１”とを同数含む。すなわち、４ビットの変換副情報データのうち、２ビットは”０”であり、残りの２ビットは”１”である。
【００３０】
図５に、本発明における変調方式の一例を示す。この変調方式は、前記ＭＡＭ変調に後述するＰＭ変調を加味したものである。この変調方式によって、変換副情報データに含まれる”０”は、図５（ａ）に示す波形に変換され、変換副情報データに含まれる”１”は、図５（ｂ）に示す波形に変換される。
【００３１】
変換副情報データ”０”に対応する図５（ａ）に示す波形は、１０周期の蛇行を有するウオブル期間Ａ０と、蛇行していない非ウオブル期間Ｂ０とで構成される。この非ウオブル期間Ｂ０の長さは、前記ウオブル期間Ａ０における２周期分の蛇行の長さに設定されている。なお、ウオブル期間Ａ０における蛇行の周期Ｔｄは、常に一定である。
【００３２】
変換副情報データ”１”に対応する図５（ｂ）に示す波形は、１４周期の蛇行を有するウオブル期間Ａ１と、蛇行していない非ウオブル期間Ｂ１とで構成される。この非ウオブル期間Ｂ１の長さは、前記ウオブル期間Ａ１における２周期分の蛇行の長さに設定されている。なお、ウオブル期間Ａ１における蛇行の周期は、常に一定であって、かつ、前記変換副情報データ”０”に対応する波形が含むウオブル期間Ａ０における蛇行の周期Ｔｄと等しい。従って、変換副情報データ”１”に対応する波形が含む非ウオブル期間Ｂ１の長さは、前記変換副情報データ”０”に対応する波形が含む非ウオブル期間Ｂ０の長さと等しい。
【００３３】
従って、上記Ａ０、Ｂ０、Ａ１、Ｂ１の長さを、共通の蛇行の周期Ｔｄを単位として表せば、
（Ａ０，Ｂ０）＝（１０，２）
（Ａ１，Ｂ１）＝（１４，２）
となる。
【００３４】
さらに、変換副情報データ”０”に対応する図５（ａ）に示す波形が含むウオブル期間Ａ０の蛇行の位相と、変換副情報データ”１”に対応する図５（ｂ）に示す波形が含むウオブル期間Ａ１の蛇行の位相とは、１８０度異なっている。すなわち、本発明における変調方式は、前記ＭＡＭ変調に、上記の位相による変調（ＰＭ変調）が加味されている。
【００３５】
図６は、ＭＡＭ変調のみによるウオブルから得られる波形と、ＰＭ変調のみによるウオブルから得られる波形と、本発明における変調方式、すなわちＭＡＭ変調にＰＭ変調が加味された変調方式によるウオブルから得られる波形とを比較したものである。図６（ａ）は、ＭＡＭ変調（改良型ＡＭ変調）のみによるウオブルから得られる波形、図６（ｂ）は、ＰＭ変調のみによるウオブルから得られる波形、図６（ｃ）は、本発明における変調方式によるウオブルから得られる波形である。
【００３６】
図７は、ＰＭ変調のみによるウオブルから得られる波形における、変換副情報データが”０”から”１”に遷移する点を拡大したものである。この遷移点における波形は、理想的には、図７（Ａ）に示すようなウオブル信号波形となるはずであるが、実際には、光ディスクに起因するノイズ、例えば、光ディスクの製造過程で発生するウオブルの歪みによるノイズや、光ディスク表面のざらつき（微少な凹凸）によって発生するノイズ（いわゆるディスクノイズ）、および、光ディスクを読み書きするドライブ装置が発生するノイズがあるので、図７（Ｂ）に示すような歪んだ信号波形となる。従って、ＰＭ変調のみでは、光ディスクの読み書きにおいて、エラーが発生する可能性がある。
【００３７】
これに対し、本発明における変調方式、すなわちＭＡＭ変調にＰＭ変調が加味された変調方式では、図６（ｃ）に示すように、位相が変化している２つのウオブル部の間に、非ウオブル部が挟まれているので、遷移点における信号波形が歪む可能性が小さい。
【００３８】
また、本発明における変調方式によるウオブルから変換副情報データを特定する際には、図８の概念図に示すように、ウオブル・トラックからの振幅情報４、すなわちウオブル期間または非ウオブル期間の長さ情報と、ウオブル・トラックからの位相情報５、すなわちウオブル期間における位相情報との両方を復調回路６で合成し、これらの両方の情報に基づいて変換副情報データを特定することができる。
【００３９】
本発明における変調方式、すなわちＭＡＭ変調にＰＭ変調が加味された変調方式によって、光ディスクＰ１のトラック溝Ｔにウオブル部ＡＷＴと非ウオブル部ＮＷＴとが形成され、ウオブル・トラックＷＴ１が形成される。
【００４０】
なお、上記の各設定、例えばウオブル期間Ａ０やＡ１の長さは、１０周期や１４周期に限られず、任意に設定できる。また、変換副情報データ”０”におけるウオブル期間Ａ０と、変換副情報データ”１”におけるウオブル期間Ａ１との位相差は、１８０度に限られず、任意に設定できる。
【００４１】
本発明における変調方式の一部であるＭＡＭ変調方式は、ＡＭ変調（振幅変調）のディジタル変調型であるＯＯＫ（Ｏｎ  Ｏｆｆ  Ｋｅｙｉｎｇ）を利用し、これを本発明の光ディスクの物理フォーマットに適用できるように改良した改良ＡＭ変調方式である。この変調方式による変調信号は、ＤＣフリーであり、極めて実用性が高い。
【００４２】
さらに、このＭＡＭ変調方式においては、”０”と”１”とをウオブル（蛇行）の有無によって表現している。すなわち、”０”と”１”とは、ウオブルが連続する区間の長さによって区別されるので、従来のＦＭ変調方式のように、ウオブルの周波数を変える必要はない。
【００４３】
さらに、従来のＦＭ変調方式では、ウオブルの周波数を検出するために、大きなＣ／Ｎ（Ｃａｒｒｉｅｒ  ｔｏ  Ｎｏｉｓｅ；搬送波対雑音）比が要求されていたが、ＭＡＭ変調方式によれば、単にウオブルの有無を検出すればよいので、従来のような大きなＣ／Ｎ比が要求されることはない。
【００４４】
また、ＭＡＭ変調方式では、本実施形態のように、”０”に含まれる非ウオブル期間Ｂ０の長さと、”１”に含まれる非ウオブル期間Ｂ１の長さとを等しくすることが可能である。すなわち、本実施形態では、
Ｂ０＝Ｂ１＝ウオブルの２周期分の長さ
となっている。従って、変換副情報データの値が”０”であるか”１”であるかによって、非ウオブル期間を変化させる必要がなく、ウオブル期間のみを変化させればよいので、光ディスクをより簡単に実現することができる。
【００４５】
また、非ウオブル期間Ｂ０、Ｂ１の長さの設定は、ウオブルを読み取るために、ウオブルに同期を取るＰＬＬ回路への影響を考慮すれば、ウオブルの１周期もしくは２周期分の長さ程度とすることが妥当である。ただし、この設定値は、本発明を適用するシステムに応じて決定すれば良いので、本発明は、この設定値に限定されるものではない。
【００４６】
本発明は、前記変換テーブルおよびＭＡＭ変調を含むので、全ての変換副情報データは、トラック上で同じ長さになる。すなわち、本実施形態では、変換副情報データを構成するビット”０”とビット”１”との、おのおののビットを示す波形の長さは異なっており、従ってトラック上での長さも異なる。しかし、変換副情報データは、必ず４ビットが組になっていて、しかもビット”０”とビット”１”とを同数含むので、４ビット分のトラック上での長さは、いかなる値の変換副情報データであっても等しい。従って、変換副情報データのトラック上での長さを揃えることができ、データの書き込み制御が簡単になる。
【００４７】
なお、本実施形態では、変換副情報データ内のビット”０”に含まれる非ウオブル期間Ｂ０の長さと、変換副情報データ内のビット”１”に含まれる非ウオブル期間Ｂ１の長さとが等しいものとしたが、これらの非ウオブル期間の長さを異なるものとし、非ウオブル期間の長さの違いをビットの識別に利用しても、４ビット分の変換副情報データの長さが変動しないことに変わりはない。
【００４８】
すなわち、前述した変換テーブルは、２ビットの副情報データを、４ビットの変換副情報データに変換し、しかも、どのような副情報データを変換しても、変換後の変換副情報データにおいては、ビット”０”とビット”１”との発生頻度が１：１となる。
【００４９】
図９に、副情報データから変換副情報データへの変換の例を示す。図９に示すように、ある副情報データが８ビットで構成されていたとすると、この副情報データを変換テーブルを用いて変換した変換副情報データは１６ビットとなり、しかも、このうち８ビットが”０”となり、残りの８ビットが”１”となる。
【００５０】
具体的には、図９に示す＜例１＞では、８ビットの副情報データ（０１１１１１１１）が、図４に示した変換テーブルによって、１６ビットの変換副情報データ（１１００１０１０１０１０１０１０）に変換される。すなわち、副情報データの先頭の２ビット（０１）は、図４に示した変換テーブルによって、４ビットの変換副情報データ（１１００）に変換され、これに続く２ビットづつの副情報データ（１１）は、４ビットづつの変換副情報データ（１０１０）に変換される。
【００５１】
この変換副情報データのビット列全体の長さを、ウオブルの周期Ｔｄを単位として表すと、
0003564357.tif 000002
となる。
【００５２】
また、図９に示す＜例２＞では、８ビットの副情報データ（１０００００００）が、図４に示した変換テーブルによって、１６ビットの変換副情報データ（００１１０１０１０１０１０１０１）に変換される。すなわち、副情報データの先頭の２ビット（１０）は、４ビットの変換副情報データ（００１１）に変換され、これに続く２ビットづつの副情報データ（００）は、４ビットづつの変換副情報データ（０１０１）に変換される。
【００５３】
この変換副情報データのビット列全体の長さを、ウオブルの周期Ｔｄを単位として表すと、
0003564357.tif 000003
となり、＜例１＞と同じ長さになる。
【００５４】
すなわち、１つの副情報を表現するためのトラック上での長さは、常に一定であり、本発明の光ディスクの実用化を極めて容易にしている。
【００５５】
次に、本発明の第２実施形態を図１０を参照して説明する。図１０に示した光ディスクＰ２においては、この光ディスクＰ２の表面に設けられたウオブル・トラックＷＴ２が複数のゾーン２１、２２、…、２ｎに分割されている。また、この光ディスクＰ２には、ＺＣＡＶ（Ｚｏｎｅｄ  Ｃｏｎｓｔａｎｔ  Ａｎｇｕｌａｒ  Ｖｅｌｏｃｉｔｙ）またはＺＣＬＶ（Ｚｏｎｅｄ  Ｃｏｎｓｔａｎｔ  Ｌｉｎｅａｒ  Ｖｅｌｏｃｉｔｙ）フォーマットが採用されている。
【００５６】
この光ディスクＰ２においては、副情報として、各ゾーン２１、２２、…、２ｎのゾーンアドレスが、各ゾーンに属するウオブル・トラックに記録されている。すなわち、同一ゾーン内の全てのウオブル・トラックには、同一のゾーンアドレスが記録されているので、同一ゾーン内の隣接するトラックにも、同一のゾーンアドレスが記録されている。従って、隣接するウオブル・トラックＷＴ２のウオブルの位相は略一致する。
【００５７】
このような構成にすることにより、トラックにウオブル（蛇行）があっても、常に一定のトラックピッチが確保できるので、ウオブル方式と、ランド＆グルーブ記録方式とを併用できる。また、ウオブルの検出においても、隣接するトラックからのクロストークなしに検出することが可能となる。
【００５８】
なお、上記各実施形態のように、Ａ０、Ｂ０、Ａ１、Ｂ１の全てを、ウオブルの周期Ｔｄの整数倍に設定すれば、ディスク作成が極めて容易になり、また、ウオブルを読み取る装置におけるＰＬＬ制御系を、安定に動作させることができる。
【００５９】
【発明の効果】
本発明によれば、副情報を構成する各ビットの論理値が、ウオブル部と非ウオブル部とを一組として表現され、かつ、ビットが論理値”０”をとる場合のウオブル部における蛇行の位相と、ビットが論理値”１”をとる場合のウオブル部における蛇行の位相とが異なるので、位相が異なるウオブル部間に非ウオブル部が挟まれ、ウオブル部の位相差を確実に検出することができる。従って、信頼性の高い副情報の検出が可能となる。
【００６０】
また、ビットが論理値”０”をとる場合のウオブル部における蛇行の位相と、ビットが論理値”１”をとる場合のウオブル部における蛇行の位相とを異なるものとし、かつ、ウオブル部または非ウオブル部のいずれか一方の長さが、ビットが論理値”０”をとる場合と、ビットが論理値”１”をとる場合とで異なるものとすれば、振幅情報すなわちウオブル部または非ウオブル部の長さと、位相情報すなわちウオブル部における蛇行の位相との２つの情報から副情報を特定できるので、極めて信頼性の高い副情報の検出が可能となる。
【００６１】
また、光ディスクのトラックに、副情報として、トラックにおけるアドレスを記録すれば、ディスクフォーマット内にアドレス情報を示すためのエリアを特別に設ける必要がないので、極めて高効率なディスクフォーマットを提供できる。
【００６２】
また、ビットが論理値”０”をとる場合のウオブル部における蛇行の位相と、ビットが論理値”１”をとる場合のウオブル部における蛇行の位相との位相差を１８０度近傍とすれば、ウオブル部および非ウオブル部を形成するトラック溝の構成を簡単なものとすることができ、ディスク製作を容易にすることができるので、ディスク製作の容易性と、副情報の検出における信頼性の向上とを両立させることができる。
【００６３】
また、ウオブル部から非ウオブル部へ遷移する点、および非ウオブル部からウオブル部へ遷移する点における、ウオブル部の蛇行の位相を所定の位相とすれば、ウオブル部および非ウオブル部を形成するトラック溝の構成を簡単なものとすることができ、ディスク製作を容易にすることができる。
【００６４】
また、ウオブル部および非ウオブル部の長さを、ウオブル部における蛇行の１周期の整数倍とすれば、ウオブル部および非ウオブル部を形成するトラック溝の構成を極めて簡単なものとすることができ、ディスク製作を極めて容易にすることができる。また、ウオブル信号をもとにＰＬＬ制御系を構成する際に、このＰＬＬ制御系を安定に保つことが可能となる。
【００６５】
また、光ディスクのトラックを、光ディスクの半径方向に複数のゾーンに分割すれば、本発明を、ＺＣＡＶないしＺＣＬＶフォーマットにも適用することが可能となる。
【００６６】
また、光ディスクのトラックに、副情報として、ゾーンのゾーンアドレスを記録すれば、本発明を、各ゾーンごとのゾーンアドレスをディスク上のユーザーデータに重畳させる方式にも適用することが可能となる。
【００６７】
また、ゾーン内における、隣接するトラックのウオブル部の蛇行の位相を相互に一致させれば、各ゾーン内におけるトラックピッチを常に一定とすることができるので、隣接トラックからのクロストークなしにウオブルを検出することができる。
【図面の簡単な説明】
【図１】本発明の第１実施形態である光ディスクＰ１の構成を示す概念図である。
【図２】光ディスクＰ１の表面に形成されたウオブル・トラックＷＴ１の構造を示す拡大図である。
【図３】副情報をウオブル・トラックに記録させる手順を示す図である。
【図４】副情報データの変換テーブルの一例を示す図である。
【図５】本発明における変調方式によって変調された、変換副情報データのビットを表す波形を示す図である。
【図６】ＭＡＭ変調と、ＰＭ変調と、本発明における変調方式とによるウオブルから得られる波形を比較した図である。
【図７】ＰＭ変調によるウオブルから得られる波形における、変換副情報データが”０”から”１”に遷移する点を拡大した図である。
【図８】ウオブル・トラックからの振幅情報と、ウオブル・トラックからの位相情報との両方から変換副情報データを特定する動作を説明するための概念図である。
【図９】副情報データから変換副情報データへの変換の例を示す図である。
【図１０】本発明の第２実施形態である光ディスクＰ２の構成を示す概念図である。
【符号の説明】
Ｐ１、Ｐ２  光ディスク        ＷＴ１、ＷＴ２  ウオブル・トラック
ＡＷＴ  ウオブル部            ＮＷＴ  非ウオブル部
Ｔ  トラック溝                Ｌ  ランド
Ｇ  グルーブ                  Ｐ  記録マーク
Ｈ  光                        １  副情報データ
２  変換テーブル              ３  変換副情報データ
４  ウオブル・トラックからの振幅情報
５  ウオブル・トラックからの位相情報
６  復調回路                  ２１、２２、…、２ｎ  ゾーン
【図１】
0003564357.tif 000004
【図２】
0003564357.tif 000005
【図３】
0003564357.tif 000006
【図４】
0003564357.tif 000007
【図５】
0003564357.tif 000008
【図６】
0003564357.tif 000009
【図７】
0003564357.tif 000010
【図８】
0003564357.tif 000011
【図９】
0003564357.tif 000012
【図１０】
0003564357.tif 000013